(57)【特許請求の範囲】
【請求項１】
印刷機であって、少なくとも１つの作業台（０８）を備えており、少なくとも１つの作業台（０８）は、印刷機の第１の印刷タワー（０１）と印刷機の第２の印刷タワー（０１）との間に配置されていて、第１及び第２の印刷タワー（０１）と機械的に連結されており、各印刷タワー（０１）は、それぞれ少なくとも１つの印刷部を有しており、印刷タワー（０１）のうちの少なくとも１つの印刷タワー（０１）の少なくとも１つのサイドフレーム（０３）が、運動可能に形成されており、印刷機械の少なくとも１つの印刷タワー（０１）が２つのサイドフレーム（０２；０３）を有しており、サイドフレーム（０２；０３）は、互いに上下に配置されたそれぞれ複数の印刷部を保持しており、印刷部はそれぞれ、少なくとも１つの版胴及び少なくとも１つのブランケット胴（２１）を有しており、整備状態ではそれぞれ、一方のサイドフレーム（０３）の印刷部のブランケット胴（２１）の回転軸と他方のサイドフレーム（０２）の印刷部のブランケット胴（２１）の回転軸とが、少なくとも８０ｃｍの間隔を有しており、少なくとも１つの作業台（０８）の幅（ｂ′；ｂ′１；ｂ′２）が、第１の印刷タワー（０１）から第２の印刷タワー（０１）へ向かう方向での少なくとも１つの作業台（０８）の寸法であり、少なくとも１つの作業台（０８）が、その幅（ｂ′；ｂ′１；ｂ′２）を調節可能に構成されており、少なくとも１つの作業台（０８）が、昇降装置（０７）の構成部分であり、昇降装置（０７）が少なくとも１つの昇降駆動部（０９）を有しており、少なくとも１つの作業台（０８）が、高さ位置調節可能に配置されており、印刷機が、一緒に少なくとも１つの作業台（０８）を形成する少なくとも２つの作業台部分（１６）を有しており、少なくとも２つの作業台部分（１６）のそれぞれが、固有の少なくとも１つの昇降駆動部（０９）を有しており、昇降駆動部（０９）が、少なくとも、少なくとも１つの作業台（０８）に隣接の少なくとも１つの印刷タワー（０１）の整備状態では互いに連結可能となっており、かつ／又は互いに連結されていることを特徴とする、可動のサイドフレーム及び調節可能な作業台を有する印刷機。
【請求項２】
少なくとも１つの作業台（０８）が、少なくとも部分的に、印刷機の印刷タワー（０１）の運動可能に形成されたサイドフレーム（０３）に配置されている請求項１に記載の印刷機。
【請求項３】
第１の作業台部分（１６）が、水平方向の移動軌道に沿って、少なくとも部分的に第２の作業台部分（１６）の下側へ配置可能となっている請求項１に記載の印刷機。
【請求項４】
少なくとも２つの作業台部分（１６）のそれぞれが、複数のリブ状部分（１８）とリブ状部分間に設けられた隙間（１９）とにより形成されており、リブ状部分（１８）と隙間（１９）とは、少なくとも２つの作業台部分（１６）のうちの第１の作業台部分（１６）が、水平方向の移動経路に沿って、第２の作業台部分（１６）上へ配置可能となっており、かつ、少なくとも整備状態では、第１の作業台部分（１６）の複数のリブ状部分（１８）が、その少なくとも一部分の数のリブ状部分でそれぞれ、第２の作業台部分（１６）の各２つのリブ状部分（１８）間に位置するように、互いに配列されている請求項１に記載の印刷機。
【請求項５】
少なくとも２つの作業台部分（１６）のうちの１つの作業台部分（１６）が、昇降装置（０７）に隣接する少なくとも第１若しくは第２の印刷タワー（０１）の少なくとも準備状態では、少なくとも２つの作業台部分（１６）のうちの１つの作業台部分（１６）の通行可能な上面（１７）と、少なくとも２つの作業台部分（１６）のうちの別の作業台部分（１６）の通行可能な上面（０７）との間の一定の高さ位置差を保って、高さ位置調節可能に配置されるようになっている請求項１に記載の印刷機。
【請求項６】
少なくとも２つの作業台部分（１６）が、互いに連結可能となっており、かつ／又は互いに連結されている請求項１に記載の印刷機。
【請求項７】
連結部が機械的な継手である請求項１に記載の印刷機。
【請求項８】
連結部が制御式の継手である請求項１に記載の印刷機。
【請求項９】
一緒に少なくとも１つの作業台（０８）を形成する少なくとも２つの作業台部分（１６）の通行可能な上面（１７）が、少なくとも１つの作業台（０８）に隣接する少なくとも１つの印刷タワー（０１）の少なくとも作業状態及び装備状態では、互いに最大で６ｃｍの高さ位置差しか有していない請求項１に記載の印刷機。
【請求項１０】
一緒に少なくとも１つの作業台（０８）を形成する少なくとも２つの作業台部分（１６）の通行可能な上面（１７）が、少なくとも１つの作業台（０８）に隣接する少なくとも１つの印刷タワー（０１）の少なくとも作業状態及び装備状態では、互いに最大で２ｃｍの高さ位置差しか有していない請求項１に記載の印刷機。
【請求項１１】
複数の印刷タワー（０１）のうちの１つの印刷タワー（０１）の作業状態では、作業状態の印刷タワー（０１）の各２つのブランケット胴（２１）が、それぞれ共通の１つのニップ間隔（０４）を形成しており、かつ少なくとも２つのブランケット胴（２１）の両方の回転軸が、互いに第１の間隔を有しており、かつ少なくとも１つの作業台（０８）が第１の幅（ｂ′１）を有しており、印刷タワー（０１）の整備状態では、少なくとも２つのブランケット胴（２１）の両方の回転軸が、互いに、第１の間隔よりも大きな第２の間隔を有しており、かつ少なくとも１つの作業台（０８）が、第１の幅（ｂ′１）よりも大きな第２の幅（ｂ′２）を有している請求項１に記載の印刷機。
【請求項１２】
少なくとも２つの作業台部分（１６）が次のように配置されており、つまり、印刷タワー（０１）のうちの１つの印刷タワー（０１）の作業状態では、少なくとも２つの作業台部分（１６）のうちの１つの作業台部分（１６）の通行可能な上面（１７）が、少なくとも２つの作業台部分（１６）のうちの別の作業台部分（１６）によって最大３０％しか覆われておらず、かつ、印刷タワー（０１）のうちの１つの印刷タワー（０１）の整備状態では、少なくとも２つの作業台部分（１６）のうちの１つの作業台部分（１６）の通行可能な上面（１７）が、少なくとも２つの作業台部分（１６）のうちの別の作業台部分（１６）によって少なくとも２０％覆われている請求項３に記載の印刷機。
【請求項１３】
少なくとも２つの作業台部分（１６）のうちの１つが、複数の区分を有しており、複数の区分を有する作業台部分（１６）が、作業台（０８）の幅（ｂ′；ｂ′１；ｂ′２）の方向における作業台部分の寸法を調節可能に構成されている請求項１に記載の印刷機。
【請求項１４】
印刷タワー（０１）の作業状態では、１つのサイドフレーム（０３）の印刷部のブランケット胴（２１）の回転軸と、別のサイドフレーム（０２）の印刷部のブランケット胴（２１）の回転軸とが、互いに、両方のブランケット胴（２１）のうちの１つのブランケット胴の直径よりも最大で０．５ｃｍだけ大きい間隔を有している請求項１に記載の印刷機。
【請求項１５】
印刷機に少なくとも２つの印刷タワー（０１）が配置されており、１つの印刷タワー（０１）の運動可能なサイドフレーム（０３）の印刷部のブランケット胴（２１）の回転軸が、１つの印刷タワー（０１）の整備状態では、隣接の印刷タワー（０１）の定位置のサイドフレーム（０２）の印刷部のブランケット胴（２１）の回転軸に、１つの印刷タワー（０１）の作業状態でよりも接近している請求項１に記載の印刷機。
【請求項１６】
運動可能なサイドフレーム（０３）が、運動可能なサイドフレーム（０３）の印刷部のブランケット胴（２１）の回転軸に対して垂直な方向に、水平方向の運動成分をもって運動可能に構成されている請求項１に記載の印刷機。
【請求項１７】
少なくとも１つの作業台（０８）が、少なくとも１つの折り畳み格子を有している請求項１に記載の印刷機。
【請求項１８】
少なくとも１つの作業台（０８）が、両方の印刷タワー（０１）の印刷部へのアクセス部を形成するように構成されている請求項１に記載の印刷機。
【請求項１９】
少なくとも１つの作業台（０８）が、隣接の印刷タワー（０１）の整備状態及び／又は作業状態に左右されることなく、両方の印刷タワー（０１）の印刷部へのアクセス部を形成するように構成されている請求項１７に記載の印刷機。
【請求項２０】
印刷タワー（０１）のサイドフレーム（０２；０３）がそれぞれ、各印刷タワー（０１）のブランケット胴（２１）の回転軸の方向で互いに離間された少なくとも２つのサイドフレーム部分を有している請求項１に記載の印刷機。
【請求項２１】
印刷機の少なくとも１つの作業台（０８）の作動のための方法であって、少なくとも１つの作業台（０８）の幅（ｂ′；ｂ′１；ｂ′２）が、印刷機の１つの印刷タワー（０１）から別の印刷タワー（０１）へ向かう方向での寸法である、作業台（０８）の作動のための方法において、少なくとも１つの作業台（０８）の幅（ｂ′；ｂ′１；ｂ′２）及び通行可能な表面（１７）が、少なくとも１つの作業台（０８）の少なくとも１つの構成部分を、少なくとも１つの水平方向に直線的に運動させることにより調節されることを特徴とする、印刷機の作業台の作動のための方法。
【請求項２２】
作業台（０８）の幅（ｂ′；ｂ′１；ｂ′２）及び通行可能な上面（１７）の調節は、一緒に少なくとも１つの作業台（０８）を形成する少なくとも２つの作業台部分（１６）が、互いに接近する方向に、若しくは互いに離間する方向に移動運動させられ、かつ相互に嵌合されかつ／又は互いに上下に位置決めされることにより行われる請求項２１に記載の方法。
【請求項２３】
作業台（０８）の幅（ｂ′；ｂ′１；ｂ′２）の調節に加えて、作業台（０８）の幅の調節の前に、及び／又は作業台（０８）の幅の調節と同時に、及び／又は作業台（０８）の幅の調節の後に、作業台（０８）の高さ位置も調節される請求項２１に記載の方法。
【請求項２４】
一緒に少なくとも１つの作業台（０８）の通行可能な上面（１７）を画定する少なくとも２つの作業台部分（１６）の通行可能な上面（１７）が、高さ位置を一緒に調節される請求項２２又は２３に記載の方法。
【請求項２５】
少なくとも２つの作業台部分（１６）の通行可能な上面（１７）が、少なくとも２つの作業台部分（１６）の高さ位置の調節中にも、互いに同じ高さ位置に保たれ、若しくは互いに最大６ｃｍの垂直方向間隔に保たれる請求項２４に記載の方法。
【請求項２６】
少なくとも１つの操作過程で、少なくとも２つの作業台部分（１６）のうちの少なくとも１つが、少なくとも２つの作業台部分（１６）のうちの別の作業台部分（１６）に対して上昇され若しくは下降される請求項２２に記載の方法。
【請求項２７】
少なくとも１つの作業台（０８）の幅（ｂ′；ｂ′１；ｂ′２）の調節に際して、折り畳み格子の１つの水平方向の寸法が増大され、かつ折り畳み格子の、前記水平方向に対して垂直な水平方向の寸法が減少される請求項２１に記載の方法。
【請求項２８】
少なくとも１つの作業台（０８）の通行可能な上面（１７）が、印刷タワー（０１）の作業状態から整備状態への移しに際して、少なくとも２５％減少される請求項２１に記載の方法。
【請求項２９】
少なくとも１つの作業台（０８）の幅（ｂ′；ｂ′１；ｂ′２）が、１つの印刷タワー（０１）の、少なくとも１つの作業台（０８）と機械的に結合された少なくとも１つのサイドフレーム（０３）に、別の印刷タワー（０１）の、少なくとも１つの作業台（０８）と機械的に結合された少なくとも１つの定位置のサイドフレーム（０２）に対する相対的な１つの運動を与えることにより調節される請求項２１に記載の方法。
【請求項３０】
少なくとも１つの作業台（０８）を囲む少なくとも２つの印刷タワー（０１）のうちの少なくとも１つの印刷タワー（０１）の作業台（０８）の幅（ｂ′；ｂ′１；ｂ′２）の調節中に、印刷タワー（０１）の作業状態から整備状態への移し若しくは印刷タワー（０１）の整備状態から作業状態への移しが行われ、少なくとも１つの印刷タワー（０１）の一緒に少なくとも一時的に１つのニップ間隔（０４）を画定する２つのブランケット胴（２１）の回転軸間の間隔が、印刷タワー（０１）の作業状態から整備状態への移しに際して増大され、かつ印刷タワー（０１）の整備状態から作業状態への移しに際して減少される請求項２１に記載の方法。
【発明の詳細な説明】
【技術分野】
【０００１】
本発明は、請求項１に記載の構成に基づく若しくは請求項２の上位概念に基づく少なくとも１つの作業台を備える印刷機に関し、かつ請求項３１の上位概念に基づく印刷機の少なくとも１つの作業台の作動のための方法に関する。
【０００２】
印刷機の作業台は、印刷機における種々の作業、例えば上層階の印刷部に対する整備作業や版板交換を行う作業員若しくは操作員に足場を提供するために用いられる。
【０００３】
印刷機の昇降装置は、作業員若しくは操作員が作業のために垂直方向の全ての部位に達し得ないほどに高い高さを有する印刷機において、作業員若しくは操作員が、高さ位置の調節可能な作業台を用いて、所望の各高さ位置に立って、印刷機の必要な全ての部位における作業をできるように、高さ位置の調節可能な作業台を昇降させるために用いられる。所定の印刷機に組み込まれて、その機械制御部に接続された昇降装置が知られている。
【０００４】
欧州特許出願公開第１７６９９１２Ａ１号明細書により公知の輪転印刷機においては、機械の分割又は分離により中間スペースが形成され、中間スペース内に操作員が立ち入ることができるようになっている。中間スペース内には、印刷部リフトが高さ位置調節可能に設けられており、印刷部リフトを用いて操作員又は印刷工が、種々の装置の操作のための所定の位置へ移動させられるようになっている。印刷部リフト又は印刷工用リフトを使用する場合には、印刷機は止められねばならない。印刷部リフトの両側から印刷部を操作若しくは整備する場合には、紙ウエブ又は巻き取り紙が印刷機から取り除かれねばならない。
【０００５】
国際公開第２００４／０８０７１８Ａ１号パンフレット及びドイツ連邦共和国特許出願公開第１０２００７０００６４Ａ１号明細書により、分割構造型又は分離構造型の印刷タワーのための昇降装置が公知である。この場合に、昇降装置は、印刷タワーの分割又は分離されかつ互いに離間運動可能な構成部分間に配置されるようになっており、或いは昇降装置は印刷タワーの側部に配置されるようになっている。印刷タワーの構成部分を互いに離間運動させると、印刷タワーの構成部分に取り付けられている昇降装置も一緒に移動させられる。
【０００６】
前記形式の２つの印刷タワー（鉛直方向に塔状に延びる印刷装置、即ち印刷塔）を並べて配置してある場合には、第１（一方）の印刷タワーの、第２（他方）の印刷タワーに向いている側のサイドフレームを第２の印刷タワーに向けて水平方向に移動させると、該サイドフレームと、第２の印刷タワーの、第１の印刷タワーに向いている側のサイドフレームとの間の間隔が減少される。衝突を避けるために、両方の印刷タワーの互いに向き合う側のサイドフレーム間の間隔は、サイドフレームの移動させられていない状態で次のように選ばれ、つまり、両方の印刷タワー、若しくはその対応する作業台及び／又は昇降装置の２つの点間の最小の間隔ａが、少なくとも、サイドフレームを移動させたい距離ｃだけ大きくされ、即ち、両方のサイドフレーム間には少なくとも、サイドフレームを移動させたい距離又は間隔が設けられねばならない。
【０００７】
本発明の課題は、少なくとも１つの作業台を備える改良された印刷機、及び該印刷機の少なくとも１つの作業台の作動のための方法を提供することである。
【０００８】
本発明の前記課題を解決するために、本発明の構成によれば、印刷機に少なくとも１つの作業台が備えられ、作業台は、印刷機の第１の印刷タワーと印刷機の第２の印刷タワーとの間に配置されていて、第１及び第２の印刷タワーと機械的に連結又は結合されるようになっており、各印刷タワーは、それぞれ少なくとも印刷部を有しており、複数の印刷タワーのうちの少なくとも１つの印刷タワーの少なくとも１つのサイドフレームが、運動可能（可動）に形成されており、印刷機械の少なくとも１つの印刷タワーが２つのサイドフレームを有しており、サイドフレームは、互いに上下に配置された複数の印刷部を保持しており、各印刷部はそれぞれ版胴及びブランケット胴を有しており、整備状態では、一方のサイドフレームの印刷部のブランケット胴の回転軸と他方のサイドフレームの印刷部のブランケット胴の回転軸とが、互いに少なくとも８０ｃｍの間隔（相互間隔又は相互距離）を有しており、作業台の幅が、第１の印刷タワーから第２の印刷タワーへ向かう方向での作業台の寸法であり、作業台が、その幅を調節可能に構成されており、作業台が、昇降装置の構成部分であり、昇降装置が少なくとも１つの昇降駆動部を有しており、作業台が、高さ位置調節可能に配置されており、印刷機が、一緒に少なくとも１つの作業台を形成する少なくとも２つの作業台部分を有しており、各作業台部分のそれぞれが、固有の少なくとも１つの昇降駆動部を有しており、昇降駆動部が、少なくとも、作業台に隣接の少なくとも１つの印刷タワーの整備状態では互いに連結可能となっており、かつ／又は互いに連結されている。本発明の前記課題を解決するために、本発明の別の構成によれば、印刷機に、少なくとも１つの作業台が備えられ、作業台は、印刷機の第１の印刷タワーと第２の印刷タワーとの間に配置されており、作業台の幅が、第１の印刷タワーから第２の印刷タワーへ向かう方向での作業台の寸法であり、各印刷タワーは、それぞれ印刷部を有しており、複数の印刷タワーのうちの少なくとも１つの印刷タワーの少なくとも１つのサイドフレームが、運動可能（可動）に形成されており、作業台が、その幅を調節可能に構成されている。更に、本発明の前記課題を解決するために、本発明の方法の構成によれば、印刷機の少なくとも１つの作業台の幅若しくは印刷機の少なくとも１つの作業台の通行可能（歩行可能）な上面（表面）が、調節される。
【０００９】
本発明の構成により得られる利点として、互いに離間運動可能（分離及び接続可能）な複数の構成部分から成る印刷タワー、つまり分割構造型又は分離構造型の複数の印刷タワーを互いに並べて設置することができ、互いに並べて設置される少なくとも２つの印刷タワー間の間隔ｂ′；ｂ′１；ｂ″２を、印刷タワー間に作業台及び／又は昇降装置が設けられている場合でも、従来技術に基づき互いに並べて設置される印刷タワー間の間隔ｂよりも小さくすることができる。このような構成により、印刷機全体の所要スペースが減少され、このことは例えば建築物コストにとって有利である。
【００１０】
更なる利点として、作業員又は操作員が作業台及び／又は昇降装置により、所定の足場から、即ち立っている各１つの場所から、それも有利には選ばれた高さで、異なる２つの印刷タワーに、接近する、つまりアクセスすることができる。これにより、作業員又は操作員は、例えば版板交換のために、異なる両方の印刷タワーの２つの印刷タワー半部に対して、印刷タワーの高さにわたって一往復するだけで、即ち一回昇降するだけで、作業を完了することができるので、時間の節約が達成されるようになっている。
【００１１】
本発明の形態によれば、作業台は、昇降装置の構成部分であり、昇降装置が少なくとも１つの昇降駆動部を有しており、作業台が、高さ位置調節可能に配置されている。印刷機は、一緒に１つの作業台を形成する少なくとも２つの作業台部分を有している。このような構成に基づき、つまり、各作業台をそれぞれ少なくとも各２つの作業台部分により形成することに基づき、更なる利点として、作業台の幅の調節が容易に行われるようになっている。
【００１２】
本発明の形態によれば、作業台は、少なくとも部分的に、印刷機の印刷タワーの運動可能に形成されたサイドフレームに配置されている。つまり、作業台を少なくとも部分的に、運動可能なサイドフレームに配置することにより、更なる利点として、作業台の幅の調節が、サイドフレームの運動に伴って自動的に行われるようになっている。
【００１３】
本発明の別の形態によれば、１つの作業台部分を別の作業台部分の下に部分的に配置することにより、作業台の通行可能な上面が常に閉じられている。本発明の別の有利な形態によれば、第１の作業台部分が、水平方向の１つの移動軌道（又は移動経路）に沿って、少なくとも部分的に第２の作業台部分の下側へ配置可能となっている。本発明の更に別の有利な形態によれば、作業台部分の歯形の配置により、作業台の通行可能な上面が高さ位置差なしに形成されるようになっている。
【００１４】
本発明の別の有利な形態によれば、作業台部分の連結の状態では、作業台部分間の高さ位置差が制限されるようになっており、このような構成は、操作員の安全性に寄与するものである。
【００１５】
本発明の別の有利な形態によれば、分割可能又は分離可能に形成された印刷タワーは、整備作業若しくは保守作業等のためのアクセスが改善されており、つまり、操作員が、印刷タワーの対を成す印刷部間に容易に入って、整備作業若しくは保守作業等を行うことができるようになっている。このような利点は、印刷タワーの対を成す複数の印刷部を互いに上下に配置してある場合に特に重要である。
【００１６】
本発明の別の有利な形態によれば、昇降駆動部を印刷機の機械制御部に接続することにより、サイドフレームの移動運動と作業台の幅の調節とが互いに最適に適合して行われるようになっている。
【００１７】
本発明の別の有利な形態によれば、印刷タワーの対応するサイドフレームが移動させられていない状態では、作業台の通行可能な上面が、例えば手摺りにより画定された固有の作業台を有する印刷タワーよりも大きくなっている。
【００１８】
本発明の別の有利な形態によれば、少なくとも２つの作業台部分のそれぞれが、複数のリブ状部分とリブ状部分間に設けられた隙間（スリット）とにより形成されており、リブ状部分と隙間とは、少なくとも２つの作業台部分のうちの第１の作業台部分が、水平方向の所定の移動軌道に沿って、第２の作業台部分上へ配置可能となっており、つまり第２の作業台部分上へ移されるようになっており、かつ、印刷タワーの少なくとも整備状態では、第１の作業台部分の複数のリブ状部分が、その少なくとも一部分の数のリブ状部分でそれぞれ、第２の作業台部分の各２つのリブ状部分間に位置するように、有利には隙間内に位置するように、互いに配列されている。
【００１９】
本発明の別の有利な形態によれば、少なくとも２つの作業台部分のうちの１つ（一方）が、昇降装置に隣接する少なくとも第１若しくは第２の印刷タワーの少なくとも準備状態では、少なくとも２つの作業台部分のうちの１つ（一方）の作業台部分の通行可能な上面と、少なくとも２つの作業台部分のうちの別（他方）の作業台部分の通行可能な上面との間の一定の高さ位置差を保って、高さ位置調節可能に配置されるようになっている。本発明の有利な形態によれば、少なくとも２つの作業台部分が、互いに連結可能となっており、かつ／又は互いに連結されている。本発明の別の有利な形態によれば、各作業台部分が、固有の少なくとも１つの昇降駆動部を有しており、昇降駆動部が、作業台に隣接の少なくとも１つの印刷タワーの少なくとも整備状態では互いに連結可能となっており、かつ／又は互いに連結されている。この場合に、連結部が機械的な継手であり、或いは制御技術に基づき作動操作可能な継手、つまり制御式の継手によって形成されている。
【００２０】
本発明の別の有利な形態によれば、１つの作業台を一緒に形成する少なくとも２つの作業台部分若しくは各１つの作業台を一緒に形成する各少なくとも２つの作業台部分の通行可能な上面が、少なくとも２つの作業台部分により形成された作業台に隣接する少なくとも１つの印刷タワーの作業状態及び装備状態では、互いに最大で６ｃｍの高さ位置差しか有しておらず、特に有利には互いに最大で２ｃｍの高さ位置差しか有していない。
【００２１】
本発明の別の形態によれば、少なくとも１つの作業台が、正確に１つの印刷タワーと機械的に連結又は結合されている。本発明の別の有利な形態によれば、少なくとも１つの作業台が、第１（又は一方）及び第２（又は他方）の印刷タワーと機械的に連結されている。
【００２２】
本発明の別の有利な形態によれば、複数の印刷タワーのうちの少なくとも１つの印刷タワーの作業状態では、作業状態の印刷タワーの各２つのブランケット胴が、それぞれ共通の各１つのニップ間隔を形成（画定）し、各２つのブランケット胴の両方の回転軸が、互いに第１の間隔（相互間隔）を有しており、かつ少なくとも１つの作業台が第１の幅を有しており、少なくとも１つの印刷タワーの整備状態では、各２つのブランケット胴の両方の回転軸が、互いに、作業状態の場合の第１の間隔よりも大きな第２の間隔を有しており、かつ少なくとも１つの作業台が、作業状態の場合の第１の幅よりも大きな第２の幅を有している。
【００２３】
本発明の有利な形態によれば、少なくとも２つの作業台部分は、少なくとも２つの作業台部分のうちの１つ（一方）の作業台部分の通行可能な上面が、印刷タワーのうちの１つの印刷タワーの作業状態では、少なくとも２つの作業台部分のうちの別（他方）の作業台部分によって最大３０％しか覆われないのに対して、印刷タワーのうちの１つの印刷タワーの整備状態では、少なくとも２つの作業台部分のうちの別（他方）の作業台部分によって少なくとも２０％覆われているように、構成又は配置されている。本発明の形態によれば、昇降装置は正確に１つの作業台を含んでいる。有利には、駆動装置の制御部が機械制御部に接続されている。
【００２４】
本発明の有利な形態によれば、少なくとも２つの作業台部分のうちの１つが、互いに分割された複数の区分を有しており、複数の区分（セグメント）を有する作業台部分が、作業台の幅の方向（一方の印刷タワーから他方の印刷タワーに向かう方向）における作業台部分の寸法（幅）を調節可能に構成されている。
【００２５】
本発明の形態によれば、印刷機械の少なくとも１つの印刷タワーが２つのサイドフレームを有しており、両方のサイドフレームが、有利には互いに分離可能若しくは離間可能となっており、互いに上下に配置された複数の印刷部を保持しており、各印刷部がそれぞれ、版胴及びブランケット胴を有している。この場合に、印刷タワーの作業状態では、一方（１つ）のサイドフレームの印刷部のブランケット胴の回転軸と、他方（別）のサイドフレームの印刷部のブランケット胴の回転軸とが、互いに、両方のブランケット胴のうちの１つのブランケット胴の直径よりも最大で０．５ｃｍだけ大きい間隔（相互間隔又は相互距離）を有し、これによってニップ間隔を形成している。
【００２６】
本発明の有利な形態によれば、印刷タワーの整備状態では、１つのサイドフレームの印刷部のブランケット胴の回転軸と、別のサイドフレームの印刷部のブランケット胴の回転軸とが、互いに、最小でも８０ｃｍの間隔（相互間隔又は相互距離）を有している。
【００２７】
本発明の有利な形態によれば、印刷機に少なくとも２つの印刷タワーが配置されており、１つ又は一方の印刷タワーの運動可能なサイドフレームの印刷部のブランケット胴の回転軸が、１つ又は一方の印刷タワーの整備状態では、隣接の印刷タワーの位置不動（定位置）のサイドフレームの印刷部のブランケット胴の回転軸に、１つ又は一方の印刷タワーの作業状態でよりも接近している。この場合に特に有利には、運動可能なサイドフレームが、印刷部のブランケット胴の回転軸に対して垂直な方向に、水平方向の運動成分をもって運動可能に構成され、つまり印刷部のブランケット胴の回転軸に対して垂直（直角）かつ水平に運動可能に構成されている。
【００２８】
本発明の別の形態によれば、少なくとも１つの作業台が、少なくとも１つの折り畳み格子を有している。本発明の別の有利な形態によれば、少なくとも１つの作業台が、両方の印刷タワーの印刷部へのアクセス部を形成するように構成されている。特に有利には、少なくとも１つの作業台は、隣接の印刷タワーの整備状態及び／又は作業状態に左右されることなく、作業台から隣接の両方の印刷タワーの印刷部へのアクセス部を形成するように構成されている。
【００２９】
本発明の別の形態によれば、印刷タワーのサイドフレームがそれぞれ、印刷タワーのブランケット胴の回転軸の方向で互いに離間された少なくとも２つのサイドフレーム部分を有し、つまり、印刷タワーのブランケット胴の回転軸の方向で互いに離間された少なくとも２つのサイドフレーム部分によって形成されている。
【００３０】
本発明の方法の構成の有利な形態によれば、作業台の幅、即ち通行可能な上面の調節は、１つの作業台を一緒に形成する少なくとも２つの作業台部分が、互いに接近する方向に、若しくは互いに離間する方向に移動運動させられ、かつ相互に嵌合されかつ／又は互いに上下に位置決めされることにより行われる。有利には、作業台の幅の調節に加えて、幅の調節の前に、及び／又は幅の調節と同時に、及び／又は幅の調節の後に、作業台の高さ位置も調節される。
【００３１】
本発明の別の有利な形態によれば、一緒に少なくとも１つの作業台の通行可能な上面を画定する少なくとも２つの作業台部分の各通行可能な上面が、高さ位置を一緒に調節される。本発明の更に別の有利な形態によれば、少なくとも２つの作業台部分の通行可能な上面が、少なくとも２つの作業台部分の高さ位置の調節中にも、互いに同じ高さ位置に保たれ、若しくは互いに最大６ｃｍの垂直方向間隔に保たれる。本発明の別の形態によれば、少なくとも１つの操作過程で、少なくとも２つの作業台部分のうちの少なくとも１つが、少なくとも２つの作業台部分のうちの別の作業台部分に対して上昇され若しくは下降される。
【００３２】
本発明の別の有利な形態によれば、作業台の幅の調節に際して、作業台を形成する折り畳み格子の１つの水平方向の寸法（構成寸法或いは広がり寸法又は例えば長さ若しくは伸長寸法）が増大され、かつ折り畳み格子の、前記水平方向に対して垂直な水平方向の寸法（構成寸法或いは広がり寸法又は例えば幅）が減少される。
【００３３】
有利な形態によれば、作業台の通行可能な上面が、作業状態から整備状態への移し（移行）に際して、少なくとも２５％減少される。本発明の有利な形態によれば、作業台の幅は、１つ（一方）の印刷タワーの、作業台と機械的に連結又は結合された一方のサイドフレームに、別（他方）の印刷タワーの、作業台と機械的に連結又は結合された定位置のサイドフレームに対する相対的な１つの運動を与えることにより、つまり、１つ（一方）の印刷タワーの、作業台と機械的に連結又は結合された一方のサイドフレームが、別（他方）の印刷タワーの、作業台と機械的に連結又は結合された定位置のサイドフレームに対して相対的に運動することにより、調節される。
【００３４】
本発明の別の有利な形態によれば、少なくとも１つの作業台を囲む少なくとも２つの印刷タワーのうちの、換言すれば、少なくとも１つの作業台を中心として相対する少なくとも２つの印刷タワーのうちの少なくとも１つの印刷タワーの作業台の幅の調節中に、少なくとも１つの印刷タワーの作業状態から整備状態への移し（移行又は切換）若しくは少なくとも１つの印刷タワーの整備状態から作業状態への移しが行われ、つまり、少なくとも１つの印刷タワーが作業状態から整備状態へ若しくは整備状態から作業状態へ移され、少なくとも１つの印刷タワーの印刷部の少なくとも一時的に一緒に、即ち互いに協働してニップ間隔を画定する両方のブランケット胴の回転軸間の間隔が、印刷タワーの作業状態から整備状態への移しに際して増大され、かつ印刷タワーの整備状態から作業状態への移しに際して減少される。本発明の有利な形態によれば、作業台の通行可能な上面及び幅は、作業台の少なくとも１つの構成部分を、少なくとも１つの水平方向に直線的に運動させることにより調節される。
【００３５】
次に、本発明を図示の実施形態に基づき詳細に説明する。
【図面の簡単な説明】
【００３６】
【図１】各２つの作業台及び昇降装置を有する２つの印刷タワーを概略的に示す図である。
【図２】図１の両方の印刷タワーを概略的に示す図であり、この場合に、左側の印刷タワーはその１つのサイドフレームの移動により分割され又は開かれており、右側の印刷タワーの右側の昇降装置の作業台は、上方へ走行させられている。
【図３】分割可能な２つの印刷タワーの更に概略的な図であり、この場合に、それぞれ印刷タワーの外側に作業台及び昇降装置が配置されており、かつ印刷タワー間に共通の１つの作業台及び昇降装置が配置されている。
【図４】図３の両方の印刷タワーを示す図であり、この場合に、共通の昇降装置の作業台の１つの作業台部分が、所定の行程距離にわたって上方移動されている。
【図５】図４の両方の印刷タワーを示す図であり、この場合に、左側の印刷タワーはその１つのサイドフレームの移動により開かれており、これにより、共通の前記作業台の１つの作業台部分が、該作業台の別の作業台部分上へ移動させられている。
【図６】例としての２つの作業台部分を概略的に示す図ａ），図ｂ）であり、作業台部分は、互いに上下に重ねられるように構成されている。
【図７】例としての２つの作業台部分を概略的に示す図ａ），図ｂ）であり、作業台部分は、条片状部分及びスリットにより相互に適合されるように構成されていて、高さ位置差なしに互いに嵌合されるようになっている。
【００３７】
印刷機の印刷タワー０１は、少なくとも２つのサイドフレーム０２；０３を有している。各サイドフレーム０２；０３は、各印刷タワーの各ブランケット胴２１の回転軸の方向で互いに離間するそれぞれ少なくとも２つのサイドフレーム部分によって形成されている。サイドフレーム０２；０３は、相互の間隔又は距離を調節可能に構成されている。唯一のサイドフレーム０２；０３のサイドフレーム部分は、有利には相互の間隔を不変に構成されている。印刷タワー０１は、版胴及びブランケット胴を備える少なくとも１つの印刷部を有し、有利には、各版胴及びブランケット胴を備える偶数の印刷部を有しており、各サイドフレーム０２；０３には、同じ数の印刷部が配置され、有利には少なくとも２つの印刷部が互いに上下に配置されている。図面を見易くするために、図面にはブランケット胴２１のみしか示されていない。更に有利には８つの印刷部、特に８つのオフセット印刷部が次のように配置され、つまり、第１のサイドフレーム０２内の各１つの印刷部に配設された１つのブランケット胴２１と第２のサイドフレーム０３内の各１つの印刷部に配設された１つのブランケット胴２１とからなる２つのブランケット胴２１が、印刷運転時にそれぞれ互いに相対して協働するようになっている。
【００３８】
被印刷物は、印刷運転時には、つまり、例えば作業状態では、有利には、ブランケット胴対により画定される例えば各４つのニップ間隔０４を通して案内され、そこで両側から印刷される。ニップ間隔０４は、被印刷物に依存して、規定された所定の寸法、最大で０．５ｃｍの寸法（幅）を有している。このことは、作業状態において、一方のサイドフレーム０２内の各１つの印刷部の１つのブランケット胴２１の回転軸と他方のサイドフレーム０３内の各１つの印刷部の１つのブランケット胴２１の回転軸とが、両方のブランケット胴２１のうちの１つのブランケット胴２１の直径よりも最大で０．５ｃｍだけ大きい相互の間隔を有していることを意味している。１つの印刷タワー０１の作業状態では、互いに異なるサイドフレーム０２；０３内に配置される各印刷部に配設された少なくとも２つのブランケット胴２１の回転軸が、相互の第１の間隔を有し、かつ後で詳細に述べる少なくとも１つの作業台０８が、第１の幅ｂ′１を有している。印刷タワー０１の整備状態では、前記少なくとも２つのブランケット胴２１の回転軸は、相互の第２の間隔を有しており、該第２の間隔は、前記第１の間隔よりも大きく、かつ前記少なくとも１つの作業台０８は、第２の幅ｂ′２を有しており、該第２の幅は前記第１の幅ｂ′１よりも小さくなっている。整備状態では、前記２つのブランケット胴２１の回転軸は、有利には少なくとも８０ｃｍの間隔を有しており、このような構成により、１つの印刷タワー０１の両方のサイドフレーム０２；０３間における整備作業のための十分に大きなスペースが得られ、ひいては１つの印刷タワー０１の印刷部間における所望の作業が容易に行われるようになっている。
【００３９】
印刷タワー０１は、有利には、該印刷タワーの、ブランケット胴２１の回転軸に対して平行に位置する少なくとも一方の外側０６に、更に有利には両方の外側０６に、作業台０８を有し、かつ有利には昇降装置０７も有している。前記昇降装置は、有利には昇降台０７として形成され、つまり、適切な昇降駆動部０９により高さ位置調節可能な前記少なくとも１つの作業台０８を有しており、該作業台が、静止位置１１と所望の少なくとも１つの作業位置１２とに調節されるようになっている。有利には、各昇降装置０７がそれぞれ１つの作業台０８を有している。作業台０８の高さ位置若しくは作業位置は、有利には所定の範囲内で任意に設定されるようになっている。昇降駆動部０９は、適切な構成部分として液力式若しくは油圧式のシリンダー０９、ラック式駆動部０９、或いはねじスピンドル０９、若しくは類似のものにより形成されていて、少なくとも１つの電動モータを有している。有利な実施形態によれば、高さ位置調節は、サイドフレーム０２；０３に設けられた少なくとも１つのラック１３を用いて行われ、ラック１３が少なくとも１つの小歯車１４とかみ合っており、小歯車１４が図示省略のモータにより駆動されるようになっている。更に有利には、案内要素（図示省略）が配置されており、該案内要素は、例えば垂直に延びるガイドレールとして形成されていてよい（図１及び図２）。昇降駆動部０９（ラック１３及び小歯車１４）は、図１及び図２にのみ、それもそれぞれ右側の印刷タワー０１においてのみ示されている。
【００４０】
２つの印刷タワー０１を並べて配置してある場合には、印刷タワー０１間に唯一の作業台０８及び／又は昇降装置０７が配置されている。作業台０８は、隣接する両方の印刷タワー０１若しくは一方の印刷タワー０１の印刷運転時においても停止時においても、両方の印刷タワー０１の印刷部へのアクセス部を形成している。昇降装置０７が作業台０８を含んでおり、作業台０８は、作業台０８上にいる操作員が、作業台０８に隣接の両方の印刷タワー０１若しくはその構成部分に近付いて、該印刷タワー０１若しくはその構成部分に対する処理作業や整備作業等を行え得るように構成されている。印刷タワー０１は、作業台０８及び／又は昇降装置０７を除いて、有利には互いにほぼ同一に構成されている。作業台０８及び／又は昇降装置０７は、隣接する両方の印刷タワー０１若しくは一方の印刷タワー０１に接していてよい。作業台０８及び／又は昇降装置０７が一方の印刷タワー０１にしか接していない場合には、作業台０８及び／又は昇降装置０７と他方の印刷タワー０１との間の最小の間隔は、有利には１０ｃｍよりも小さくなっている。作業台０８及び／又は昇降装置０７は、一方の印刷タワー０１若しくは両方の印刷タワー０１と、作業台０８の高さ位置の調節のための昇降駆動部０９を介して機械的に結合されていてよく、或いは、一方の印刷タワー０１若しくは両方の印刷タワー０１と、案内要素を介して機械的に結合されていてよい。
【００４１】
有利な実施形態によれば、作業台０８は、２つの作業台部分１６から成っており、これらの作業台部分（部分作業台）の一方は、隣接する両方の印刷タワー０１のうちの一方に取り付けられており、かつ作業台部分１６の他方は、隣接する両方の印刷タワー０１のうちの他方に取り付けられている。両方の作業台部分１６は、有利には、各作業台部分１６の高さ位置の調節のための固有の少なくとも１つの昇降駆動部０９を有している。作業台部分１６は、互いに連結可能となっており、かつ／又は互いに連結されており、かつ昇降駆動部０９は、有利には、互いに連結可能となっており、かつ／又は互いに連結されており、この場合に、機械的に独立した２つの昇降駆動部０９間の機械的な連結若しくは制御可能な連結が考えられる。制御可能な連結が、有利な実施形態である。昇降駆動部０９間の連結は、有利な実施形態によれば、両方の作業台部分１６のうちの一方が、両方の作業台部分１６のうちの他方に対して、予め設定された有利には一定の垂直位置差（高低差又は上下差）に調節して配置されるように行われる。昇降駆動部０９の連結により、両方の作業台部分１６の通行可能又は歩行可能な両方の上面１７は、一緒に、作業台０８の通行可能又は歩行可能な１つの上面１７を形成していて、常に互いに同一の高さに位置していることが、或いは例えば最大で６ｃｍ、有利には最大で２ｃｍの最小の高さ位置差（垂直位置差）しか有していないことが保証される（図３）。有利には、少なくとも１つの昇降駆動部０９の少なくとも１つの制御部は、印刷機の機械制御部に接続されている。
【００４２】
有利には少なくとも１つの印刷タワー０１が、更に有利には各印刷タワー０１が、整備作業のため、或いは他の目的のために分割（分離）され、有利にはほぼ垂直な１つの分割面に沿って分割（分離）されている。この場合に、印刷タワー０１の操業状態は、印刷タワー０１が例えば印刷運転中である作業状態から整備状態へ移される。このことは、有利には、互いに上下に配置された４つの印刷部が、該印刷部に共有の一方のサイドフレーム０２により定位置（位置不動）に保持されているのに対して、互いに上下に配置された別の４つの印刷部が、該印刷部に共有の他方のサイドフレーム０３により水平な方向に運動させられ、例えば有利にはブランケット胴２１の回転軸に対して垂直な水平線の方向に移動させられる形で行われる。つまり、整備状態では、移動可能なサイドフレーム０３に配置されている印刷部が、定位置のサイドフレーム０２に配置されている印刷部から分離（離間）されており、即ち、移動可能なサイドフレーム０３が定位置のサイドフレーム０２から分離（離間）されている（図２）。
【００４３】
分離可能な２つの印刷タワー０１が互いに並べて配置されている場合に、第１の印刷タワー０１の１つのサイドフレーム０３の水平方向の移動に際して、該サイドフレーム０３は、第２の印刷タワー０１に向いている側のサイドフレーム０３であり、該サイドフレーム０３と第２の印刷タワー０１の、第１の印刷タワー０１に向いている側のサイドフレーム０２との間の間隔ｂが減少される。作業台０８及び／又は昇降装置０７同士の衝突を避けるためには、両方の印刷タワー０１間には、前記１つの作業台０８及び／又は昇降装置０７しか配置されていない。この場合には、作業台０８は、前に述べてあるように、２つの作業台部分１６を有しており、該作業台部分１６は、それぞれ固有の昇降駆動部０９を用いて高さ位置調節可能となっている。つまり、各作業台部分１６は、昇降駆動部０９を介して、かつ必要に応じて案内要素を介して各サイドフレーム０２；０３に、次のように連結されており、つまり、移動可能なサイドフレーム０３の水平方向の移動に際して、該サイドフレーム０３と連結（結合）されている作業台部分１６も、同様に水平方向に、同一の距離ｃにわたって移動させられるようになっている。移動させられていない状態での２つの印刷タワー０１の２つの点間若しくはその対応する昇降装置の２つの点間の最小の間隔は、間隔ａと称される。
【００４４】
隣接する両方の印刷タワー０１のうちのいずれか一方又は両方が、整備状態及び／又は作業状態及び／又は印刷運転状態にあるか否かに左右されることなく、作業台０８は、第１の印刷タワー０１の、第２の印刷タワー０１に向いている側のサイドフレーム０３から、第２の印刷タワー０１の、第１の印刷タワー０１に向いている側のサイドフレーム０２まで達している。２つよりも多くの印刷タワー０１が並べて配置されている場合には、前述の記載内容は、有利には、各２つの印刷タワー０１間に配置されている全ての昇降装置０７の作業台０８に当てはまる。上記目的のために、つまり作業台０８が一方のサイドフレーム０３から他方のサイドフレーム０２に達するために、昇降装置０７の作業台０８は、その幅ｂ′；ｂ′１；ｂ′２を調節可能となっており、つまり、作業台０８の、隣接する一方の印刷タワー０１から隣接する他方の印刷タワー０１への方向の寸法を、有利には、作業台０８の、印刷タワー０１の印刷部のブランケット胴２１の回転軸に対して垂直な水平線の方向の寸法を調節可能となっている。このような手段は種々に実施可能である。
【００４５】
有利には、並べて配置される印刷タワー０１は、次のように設けられており、つまり、該印刷タワー０１の水平方向に運動可能、有利には移動可能な各サイドフレーム０３が、作業状態から整備状態への移行に際して同一の方向に運動させられるようになっている。該方向は、有利には印刷機のブランケット胴２１の回転軸に対して垂直でかつ水平である。考えられる実施形態によれば、完全に外側に配置される各印刷タワー０１は、該印刷タワー０１の移動可能な両方のサイドフレーム０３が、作業状態から整備状態への移行のために、互いに異なる方向に、互いに離間する方向に運動させられ、例えば移動させられるように構成されている。ある部位において移動可能なサイドフレーム０３を、作業状態から整備状態への移行のために、接近する方向に運動さることは不都合であり、それというのは、サイドフレーム０２；０３間の間隔ｂ′，ｂ′１，ｂ′２が著しく不当に減少されてしまうからである。従って、印刷機を開放することに関しても、全ての印刷タワー０１にとって同一の開放方向が有意義である。
【００４６】
有利な実施形態によれば、１つの作業台０８を形成する両方の作業台部分１６は、作業台０８の側に配置された移動可能なサイドフレーム０３を有する印刷タワー０１が作業状態にある間、同一の高さに配置されている。移動可能なサイドフレーム０３に隣接の作業台部分１６は、該隣接の作業台部分１６の通行可能（歩行可能）な上面１７の下側に切欠き部を有しており、該切欠き部は、該切欠き部内に、隣接の作業台部分１６と協働する別の作業台部分１６が側方から押し込まれ得るように形成されている。作業台０８に隣接のサイドフレーム０３を移動させたい場合には、まず、サイドフレーム０３に配設された作業台部分１６が、該作業台部分１６の高さ位置の調節のための昇降駆動部０９により、上方へ、それも、該作業台部分１６の切欠き部を、第２の印刷タワー０１のサイドフレーム０３に配設された別の作業台部分１６と同じ高さに位置させるまで、移動させられる。次いで、移動可能なサイドフレーム０３が、所定の距離ｃにわたって移動させられ、これにより、移動可能なサイドフレーム０３に配置（配設）された作業台部分１６が、別の作業台部分１６上へ移されることになる。両方の印刷タワー０１間の間隔ｂ′；ｂ′１；ｂ′２若しくは幅ｂ′；ｂ′１；ｂ′２は、所定の距離ｃだけ減少される。作業台部分１６の厚さは、各作業台部分１６が、該各作業台部分１６に課せられる要求に対して十分に安定している、つまり形状安定である、即ち例えば十分な剛性又は強度を有すると同時に、該両方の作業台部分１６の通行可能な上面１７間の高さ位置差（段差）が、隣接する印刷タワー０１の整備状態でも、つまり、両方の作業台部分１６を互いに上下に重ねた状態でも最小になるように選ばれている（図４〜図６）。
【００４７】
各作業台部分１６の高さ位置の調節のための昇降駆動部０９間の制御技術に基づく連結により、両方の作業台部分１６の通行可能な各上面１７が一緒に、作業台０８の通行可能な１つの上面１７を成すために、常に同一の高さに位置することを、或いは互いに最大で６ｃｍ、有利には最大で２ｃｍの最小の高さ位置差（段差）しか有さないことを、それも、隣接する印刷タワー０１のいくつが作業状態にあり、かつ隣接する印刷タワー０１のいくつが整備状態にあるかに左右されることなく、保証することができるようになっている。このことは、作業台部分１６の高さ位置の調節中にも当てはまり、操作員は、高さ位置の調節中に、作業台０８内における高さ位置の違いに起因する危険を伴うことなしに、即ち例えば、作業台部分１６間の隙間からの転落の恐れ或いは作業台部分１６間の隙間における足の挟み込みなどの恐れなしに、通行可能な上面１７上に立っていることができるようになっている。有利には、少なくとも１つの昇降駆動部０９の少なくとも１つの制御部は、印刷機の機械制御部に接続されている。
【００４８】
１つ又は一方の作業台部分１６が、前に述べた切欠き部を備えていることは、必ずしも必須ではなく、可能な実施形態によれば、他方の作業台部分１６上に配置される一方の作業台部分１６は、その下面を平らに形成されていてよく、或いは、更に可能な別の実施形態によれば、両方の作業台部分１６は、作業台部分１６の通行可能な各上面１７間の高さ位置の違いが最小である場合に１つ（一方）の作業台部分１６を別（他方）の作業台部分１６上へ移動させることを可能にする別の構造形式で構成されていてよい。更に別の可能な実施形態によれば、移動不能なサイドフレーム０３に配置された作業台部分１６が上昇させられ、移動可能なサイドフレーム０３に配置された作業台部分１６が、移動不能なサイドフレーム０３に配置された作業台部分１６の下へ移動させられてよい。更に、一方の作業台部分１６を下降させるのに対して、他方の作業台部分１６を上昇させることも同様に可能である。
【００４９】
有利には、昇降装置０７は、複数（少なくとも２つ）の作業台部分１６が次のように配置されるように構成され、つまり、複数の作業台部分１６は、１つの印刷タワー０１の作業状態では、複数の作業台部分１６のうちの１つの作業台部分１６の通行可能な上面１７が、別の作業台部分１６によって最大３０％しか覆われていないように、配置され、また、該印刷タワー０１の整備状態では、複数の作業台部分１６のうちの１つの作業台部分１６の通行可能な上面１７が、別の作業台部分１６によって少なくとも２０％覆われているように、配置されている。各実施形態において、１つの作業台部分１６を別の作業台部分１６によって覆う量（重なり量）は、整備状態の場合に、作業状態の場合よりも大きくしてある。
【００５０】
有利な別の実施形態によれば、両方の作業台部分１６は、両方の作業台部分１６により形成される作業台０８が、一方の作業台部分１６の高さ位置の調節を必要とすることなしに、縮小されるように構成されている。このために、例えば一方若しくは両方の作業台部分１６が、それぞれ、相互に差し嵌め可能な複数の部分片（セグメント）から形成されており、該複数の部分片が、前に述べてある実施形態と同様に、１つの部分片を別の部分片上へ移動させて互いに上下に少なくとも部分的に重ね合わせられるようになっている。このような構成により、一方若しくは両方の作業台部分１６の通行可能な上面１７が縮小され、結果として、作業台０８が縮小される。更に可能な実施形態によれば、各作業台部分１６は、レーキ若しくは櫛の形に構成されて、それぞれ複数のリブ状部分１８と該リブ状部分間に設けられた隙間１９とを有しており、リブ状部分１８と隙間（スリット）１９との配置は、操作員がレーキ若しくは櫛の形の作業台部分１６上を歩けるように、かつ一方の作業台部分１６のリブ状部分１８が他方の作業台部分１６の隙間１９に挿入され、つまり両方の作業台部分１６が相互に差し嵌められ得るように、行われている。即ち、一方の作業台部分１６のリブ状部分１８が、他方の作業台部分１６の隙間１９に相対して配置されており、一方の作業台部分１６のリブ状部分１８のうちの少なくとも一部の数のリブ状部分１８が、他方の作業台部分１６の各２つのリブ状部分１８間に位置するようになっている。この場合に、相互に差し嵌められる作業台部分１６の通行可能な上面１７は、最大で２ｃｍの高さ位置差しか有していない（図７）。更に考えられる実施形態として、作業台部分１６が、通行可能な比較的広い上面１７を画定する複数のリブ状部分１８と該リブ状部分１８間に設けられた比較的幅の狭い隙間１９とによって形成されており、比較的広い上面１７を画定する前記リブ状部分（条片部分）、つまり幅の広い前記リブ状部分（条片部分）が、下面側に長手方向に延びる補強のための比較的狭い幅の付加部（突起部、補強リブ）を有しており、該付加部が、別の作業台部分１６のリブ状部分１８間の幅の狭い隙間１９内に嵌合するように、狭い幅で形成され、つまりリブ状部分１８間の隙間１９の幅に合わせて形成されている。このような構成により、両方の作業台部分１６の通行可能な上面１７間の小さい高さ位置差で、両方の作業台部分１６が、一方の作業台部分１６を他方の作業台部分１６の上又は下へ移すことに基づき互いに上下に重ねられるようになっており、この場合に、隙間１９の幅はリブ状部分１８の幅より著しく狭くなっていてよい。
【００５１】
印刷機の有利な実施形態によれば、各少なくとも２つの作業台部分１６は、それぞれ複数のリブ状部分（条片部分）１８と該リブ状部分間に設けられた比較的幅の狭い隙間１９とを有しており、この場合に、リブ状部分１８と隙間１９との配置は、相互に適合するように行われており、つまり、少なくとも２つの作業台部分１６のうちの第１の作業台部分１６が、少なくとも２つの作業台部分１６のうちの第２の作業台部分１６上に、それも水平な１つの移動軌道に沿って重ね合わされ又は整合されて、少なくとも整備状態では、第１の作業台部分１６の複数のリブ状部分１８の少なくとも一部分が、第２の作業台部分１６の各２つのリブ状部分１８間に、つまり隙間１９内に位置決めされ得るようになっている。このような構成の実施形態は、例えば作業台部分１６の１つ若しくは複数の辺（縁部）に配置されるパラペット(parapet)又は手摺り等にも用いられるものである。
【００５２】
作業台０８及び／又は昇降装置０７は、いくつの昇降駆動部０９が設けられているか、或いはどのような幾何学形状が与えられているかに応じて、１つ若しくは２つの印刷タワー０１と連結されるようになっている。作業台０８及び／又は昇降装置０７を１つの印刷タワー０１にのみ連結してある場合には、有利には、作業台０８及び／又は昇降装置０７若しくは印刷タワー０１に、作業台０８及び／又は昇降装置０７の幅ｂ′；ｂ′１；ｂ′２の調節を行う手段、例えば液圧式の駆動部等が設けられている。
【００５３】
隣接の印刷タワー０１は、有利には次のように配置構成されており、つまり、印刷機内に少なくとも２つの印刷タワー０１が配置されており、１つの印刷タワー０１の運動可能なサイドフレーム０３の印刷部のブランケット胴２１の回転軸が、該印刷タワー０１の整備状態では、作業状態の場合よりも、隣接の別の印刷タワー０１の定位置のサイドフレーム０２の印刷部のブランケット胴２１の回転軸接近している。
【００５４】
本発明の別の実施形態によれば、作業台０８が少なくとも部分的に折り畳み格子として形成されており、該折り畳み格子は、スライド式格子又は摺動格子とも称され、隣接の２つの印刷タワー０１に連結されている。折り畳み格子は、複数の条片（リンク又はウエブ若しくは連子子）を有しており、複数の条片のうちのほぼ半分の数の各条片が、互いに平行に配置されていて、残りのほぼ半分の数の同じく互いに平行に配置された各条片に対して所定の角度で交差して対を成している。これにより、互いに交差していてかつ互いに交点で相互に旋回可能に結合された対を成す複数の条片対の配列パターンから成る１つの格子が形成される。このような格子は、その旋回可能な結合部が、格子の１つの寸法方向（格子の伸縮方向若しくは伸長方向又はスライド方向）で変位させられるものであり、この場合に、互いに平行な条片は、常にその平行を保つようになっており、これにより、折り畳み格子の、水平な１つの方向の寸法（例えば長さ寸法）が増大されるのに対して、折り畳み格子の、前記水平な１つの方向（１つの水平方向）に対して垂直な別の水平な方向（別の水平方向）の寸法（例えば幅寸法）は減少される。作業台部分１６も、折り畳み格子を有していてよく、或いは折り畳み格子として形成されていてよい。
【００５５】
昇降装置０７の運転のための方法は、有利には次の行程（ステップ）を含んでいる。つまり、一緒に１つの作業台０８を形成し、かつ各印刷タワー０１のサイドフレーム０２；０３に取り付けられる２つの作業台部分１６のうちの少なくとも１つが、上昇され若しくは下降され、次いで、一方のサイドフレーム０３が他方のサイドフレーム０２に向けて水平方向に移動させられ、この場合に、両方の作業台部分１６の一方が、他方の作業台部分１６の上若しくは下へ移動される。有利には、作業台部分１６は、両方の作業台部分１６の通行可能な表面１７間の高さ位置差が最大で６ｃｍ、更に好ましくは最大で２ｃｍまでである程度にしか、上昇又は下降されないようになっている。通行可能な表面１７、及び両方の作業台部分１６により形成される作業台０８の幅ｂ′；ｂ′１；ｂ′２が、作業台部分の水平方向の移動により所定の寸法ｃだけ減少される。別の実施形態によれば、一方の作業台部分１６の移動により、他方の作業台部分１６は、一方の作業台部分１６の下に完全に重なるように位置することに基づき、通行可能な表面１７をもはや有さないようになっていてよい。
【００５６】
本発明の有利な方法によれば、少なくとも１つの作業台０８の幅ｂ′；ｂ′１；ｂ′２及び通行可能な上面１７は、少なくとも１つの作業台０８の少なくとも１つの構成部分が、直線的な少なくとも１つの水平方向の運動を行うことにより、調節され、即ち例えば減少され若しくは増大される。水平方向の直線的な運動に、垂直な運動が重畳されてよく、この場合にしかしながら作業台の旋回運動は行われない。これにより、操作員は、作業台の運動中にも通行可能な上面１７に立っていることができ、或いは歩行することができるようになっている。
【００５７】
本発明の有利な方法によれば、少なくとも１つの作業台を印刷タワーの作業状態から整備状態へ移す場合に、作業台の通行可能な上面は、少なくとも２５％減少される。
【００５８】
本発明の有利な方法によれば、少なくとも１つの作業台０８の幅ｂ′；ｂ′１；ｂ′２及び通行可能な表面１７は、１つの印刷タワー０１の、少なくとも１つの作業台０８と機械的に連結された少なくとも１つのサイドフレーム０３が、少なくとも１つの作業台０８と機械的に連結された別の印刷タワー０１の位置不動の少なくとも１つのサイドフレーム０２に対して相対的に運動することにより、調節される。
【００５９】
本発明の有利な方法によれば、少なくとも１つの作業台０８の幅ｂ′；ｂ′１；ｂ′２の調節中に、少なくとも１つの作業台０８を取り囲む２つの印刷タワー０１のうちの少なくとも１つのが、作業状態から整備状態へ移され、或いは整備状態から作業状態へ移され、この場合に、少なくとも１つの印刷タワー０１の、一緒にニップ間隔を形成する２つのブランケット胴２１の回転軸間の距離が、該印刷タワー０１を整備状態へ移す場合に増大され、かつ該印刷タワー０１を作業状態へ移す場合に減少される。
【００６０】
作業台０８及び／又は昇降装置０７及び／又は作業台部分１６の高さ位置とは、それが配置される高さの位置、即ち作業台０８及び／又は昇降装置０７及び／又は作業台部分１６により占められる高さ位置を意味しており、つまり、特に通行可能な各上面１７の垂直方向の位置を意味している。
【符号の説明】
【００６１】
０１  印刷タワー、  ０２；０３  サイドフレーム、  ０４  ニップ間隔、  ０６  外側、  ０７  昇降装置又は昇降台、  ０８  作業台、  ０９  昇降駆動部、  １１  静止位置、  １２  作業位置、  １３  ラック、  １４  小歯車、  １６  作業台部分、  １７  上面又は表面、  １８  リブ状部分、  １９  隙間、  ２１  ブランケット胴、  ａ  間隔、  ｂ′，ｂ′１，ｂ′２  幅、  ｃ  距離
【要約】  本発明は、少なくとも１つの作業台（０８）を備える印刷機であって、少なくとも１つの作業台が、印刷機の第１の印刷タワー（０１）と印刷機の第２の印刷タワー（０１）との間に配置されており、少なくとも１つの作業台の幅（ｂ）が、第１の印刷タワーから第２の印刷タワーへ向かう方向での少なくとも１つの作業台の寸法であり、各印刷タワーは、それぞれ少なくとも１つの印刷部を有しており、少なくとも１つの印刷タワーの少なくとも１つのサイドフレーム（０２；０３）が、運動可能に形成されており、少なくとも１つの作業台が、その幅を調節可能に構成されている。【図１】
0004996777.tif 000002
【図２】
0004996777.tif 000003
【図３】
0004996777.tif 000004
【図４】
0004996777.tif 000005
【図５】
0004996777.tif 000006
【図６】
0004996777.tif 000007
【図７】
0004996777.tif 000008